(57)【要約】【課題】  個人情報の保護のために、高機密紙に多い薄小紙を細断しやすくする、薄小紙専用の手動シュレッダを提供する。【解決手段】  複数の刃が列設された一対の刃体を収納したカバーと、このカバーに着脱可能に設けられたくず入れからなるシュレッダであって、前記刃体が、カバー投入口から投入された紙を、刃体に連結されたレバーを回動させて細断できるように、１本の回転軸で前記カバーに軸支されてあることを特徴とする、薄小紙専用の手動シュレッダ。【選択図】  図１
2007111851.tif 000002
【特許請求の範囲】
【請求項１】
複数の刃が列設された一対の刃体を収納したカバーと、このカバーに着脱可能に設けられたくず入れからなるシュレッダであって、前記刃体が、カバー投入口から投入された紙を、刃体に連結されたレバーを回動させて細断できるように、１本の回転軸で前記カバーに軸支されてあることを特徴とする、薄小紙専用の手動シュレッダ。
【発明の詳細な説明】
【技術分野】
【０００１】  本発明は、個人情報の保護のために、高機密紙に多い薄小紙を細断しやすくする、薄小紙専用の手動シュレッダに関するものである。
【背景技術】
【０００２】  従来、回転軸が異なる２体の回転刃を使用するシュレッダが主流で、刃を電動機や手動ハンドルによって回転させ、挿入した紙を２体の回転刃の間に巻き込みながら細断していた。
なお、カッター状の刃を並べて紙を押し付け、横に滑らせて細断する、携帯型ハンドシュレッダに関する発明がある（特許文献１、特許文献２、特許文献３）。
【特許文献１】特開平１０−３３８４６号公報
【特許文献２】特開平９−２６６９９１号公報
【特許文献３】登録実用新案第３０６４０１２号公報
【発明の開示】
【発明が解決しようとする課題】
【０００３】  これらは次のような問題点があった。
（イ）回転刃式の場合、衣類や指などが巻き込まれる危険性があった。
（ロ）回転刃式の場合、巻き込み防止のためゆっくり細断しており、切れやすい薄小紙で      もその場で素早く細断できず、少しいらいらしたり長い騒音が気になる場合があっ      た。
（ハ）回転刃式の場合、巻き込み防止のため挿入口が狭くて挿入しづらく、よれた薄小紙      などは両手を使って整えることもあった。
（ニ）回転刃式の場合、挿入口内側の浅い所で、挿入と同時に紙の端から順次細断される      ため、紙がいったん入口でつっかかり、それが巻き込まれ細断され収納されるまで      の間、紙を手や器具で支えたり様子を見守るなどしていた。
（ホ）回転刃式の場合、上記のように、切れやすい薄小紙の細断動作には心理的しきいが      あり、機密用紙をためて細断作業をまとめて行ったり、細断しないまま散らかった      り、手でちぎって捨てたり、そのまま無防備に丸めて捨てたりするなど、その場そ      の場でシュレッダを使って個人情報を保護する機会を増やせない一因でもあった。
（ヘ）回転刃式の場合、挿入と細断が同時であるために、細断以外の機能の選択性を持た      せることが難しかった。
（ト）回転刃式の場合、異物が混入しても強い力で巻き込んでしまい、刃が痛む恐れがあ      った。
（チ）電動回転刃式の場合、本体、電気代、静音設計、巻き込み安全回路など、高コスト      であった。
（リ）手動回転刃式の場合、低コストではあるが、両手を使い、ハンドルを何回も回すた      め面倒くさかった。
（ヌ）手動回転刃式の場合、設置しようとすると、投入口と違う位置にあるハンドルが邪      魔だったり回しにくくなるなど、設置の自由度が低く、設置利用はしにくかった。
（ル）カッター刃式の場合、両手を使い、何往復もさせたり持ち替えたりするため、使用      者の細断技術と手間を要し、細断くずも散らかり易かった。
本発明は、これらの問題点を解決するためになされたものである。
【課題を解決するための手段】
【０００４】  複数の刃が列設された一対の刃体を収納したカバーと、このカバーに着脱可能に設けられたくず入れからなるシュレッダであって、前記刃体が、カバー投入口から投入された紙を、刃体に連結されたレバーを回動させて細断できるように、１本の回転軸で前記カバーに軸支されてあることを特徴とする、薄小紙専用の手動シュレッダである。
【発明の効果】
【０００５】  刃を回動させてはさみのように細断するため巻き込みの心配が無く、安全を確保しても投入口を広くでき、また、刃体が奥深くにあることにより、広さ深さ両面で従来よりもゆとりのある投入口を持つシュレッダにすることができる。ゆとりがあるため、よれた薄小紙でも片手で楽々投入できる上に、許容サイズの紙ならば細断前に入口でつっかえることなく内部にいったん収納でき、細断中に紙を手や器具で支えていたような従来の手間が無くなる。前記の一時収納性は、投入と細断の動作を分離させ手を自由にする効果がある。投入後は、その場でレバーを片手で一押しするだけで迅速に細断できる。そのため騒音もあまり気にならず、従来に無い手軽さと爽快感をもたらす。更に、壁やデスクや床などに固定すれば、全ての操作を片手一本で行うことができる。また投入口とレバーが同じ領域にあるため、設置の自由度があり、設置利用しやすい。加えて、手動式で構造もシンプルなことから、それ程製造コストがかからない。このため、総合的に、薄小紙のシュレッダ細断を促し、個人情報を保護する機会を、その場細断で増やす効果がある。
ＡＴＭやオフィスなど公共の場で複数人で使用する場合などには、ゴミ箱と勘違いしたり、細断そのものが面倒だと感じる人によって、紙がどんどん投入され、細断されずに刃体の上に溜まり、紙詰まりを起こす恐れが出てくる。しかしながら、細断後にレバーを押したままにしておくと、投入された紙は刃体に溜まらずに、くず入れに直接投棄されるようになっており、紙詰まりは生じない。つまり細断したい人のみレバーを戻して紙を投入して細断できる。このことは、投入された紙を細断するか投棄するかという、レバーの位置による選択性を生み出し、従来のシュレッダに無かった一台二役を実現させる効果がある。このため、ＡＴＭ店舗などではゴミ箱とシュレッダの両方を設置する必要はなくなり、総合的な設置コストも抑えられ、シュレッダの設置率を高める上で非常に有効である。加えて、この一台二役によって、投棄のつもりでいても、その場裁断を促す効果があり、シュレッダ使用の心理的しきいを更に低くする。
なお、異物が混入した場合には、使用者の手の力加減ですぐに察知できるため、従来のように異常な過負荷をかけて刃を痛めることが少ない。
【発明を実施するための最良の形態】
【０００６】  以下、本発明の実施の形態について説明する。
（イ）真っ直ぐな薄い金属の刃（１）を片研ぎしたものを向かい合わせて一対のはさみと      し、はさみを縦に開いた手前の刃（１）が右側に、奥の刃（１）が左側になるよう      に交差させる。
（ロ）１本の金属製の回転軸（２）の上に、複数のはさみを向きと軸が同じになるように      スペーサ（３）を使って等間隔に一列に並べる。
（ハ）回転軸（２）の端は保護用のプラスチック製のカバー（４）の横側面に固定して安      定させ、その位置は、細断しやすさと、投棄との選択性を考えて少し後方寄りにす      る。
（ニ）刃（１）の片側は全てカバー（４）の縦側面に固定し、向かい合ったもう一方の刃      （１）は全てレバー（５）に連結させる。
（ホ）カバー（４）の上部に、指を突っ込んでも刃（１）に触れない程度の、従来よりも      幅広の投入口（６）を設ける。
（ヘ）カバー（４）の上部には、投入口（６）と垂直になるように、中央に、レバー（５      ）の可動範囲にレバー溝（７）を設ける。
（ト）カバー（４）の下部には取り外し可能なプラスチック製の透明なくず入れ（８）を      設ける。
（チ）カバー（４）とくず入れ（８）は、固定具（９）により壁などに固定する。
本発明は以上のように、図１から図３に示すような構造で、これを使用するときは、図４（ａ）に示すように投入口（６）に紙を投入し、その後、図４（ｂ）に示すように片手でレバー（５）を一押しして細断する。細断くずは下のくず入れ（８）に落ちる。細断後は、図４（ｃ）に示すように、レバー（５）をそのままにしておくと、投入された紙は細断されずにくず入れ（８）に直接投棄される。細断したい時のみレバー（５）を戻して紙を投入し細断すれば良い。また個々のはさみの向きが同じため、短冊状の細断くずが、平行にならんだ刃（１）の間でモーメント力を受けて回転して滑り落ちやすく目詰まりが起きにくい。さらに、レバー（５）に連結された刃（１）がはさみの右側になるため、右利きの人が使用する場合に細断効率が良くなる。
なお、刃（１）と投入口（６）の間の空間を充分に確保する構成にすれば指を突っ込んでも安全なので、投入口（６）を広くすることができ、同時に、レバー（５）を長くできるためにテコの原理で細断負荷を軽くできる。
【実施例１】
【０００７】  図５に示すように、回転軸（２ａ）にコイル状もしくはゼンマイ状、板状などのバネ（１０ａ）を付けてそれに連結した刃（１ａ）をバネ力で開かせるような構成にすると、これを使用する時は、細断後にレバー（５ａ）を戻す手間が省けるため、細断専用で使用する場合には便利である。
【実施例２】
【０００８】  図６に示すように、従来のくず入れ（８ｂ）の蓋の代わりに、本発明の刃体付きカバー（４ｂ）の形を蓋状に変えたものを着脱して使用できるような構成にすると、これを使用する時は、従来のくず入れ（８ｂ）をそのまま利用してシュレッダを設置できるため、導入コストが安くなり、便利である。
【実施例３】
【０００９】  側面から見た刃（１）の形に関して、図７（ａ）に示すように、直線状の刃線をノコギリ状やジグザグ状や矩形状、ウェーブ状などに形を変えたり、それらの違う刃（１ｃ）を交互に並べたり、向かい合わせの組み合わせを変えたり、また図７（ｂ）に示すように、外側に反った刃（１ｄ）を使用したり、図７（ｃ）に示すように、刃（１ｅ）の刃線が刃体の内側に迫ったような構成にし、これを使用する時は、実質的なはさみ角度を根元でも刃先の方でも確保できるため、細断効率を上げる効果がある。
【実施例４】
【００１０】  １本の回転軸（２）で１対の刃体を直接両方支えるのではなく、図８（ａ）に示すように、一方の刃（１ｆ）を、回転軸（２ｆ）やカバー（４ｆ）などに連結された支え板（１１ｆ）で間接的に支えたり、図８（ｂ）に示すように、一方の刃（１ｇ）を、別に設けた支え軸（１２ｇ）で支えながら、もう一方の刃（１ｆ、１ｇ）と斜めに交差させるような構成にすると、これを使用する時は、刃先まではさみ角度を確保できるため、細断効率を上げる効果がある。
【実施例５】
【００１１】  図９に示すように、刃（１ｈ）を、複数枚を横方向に完全に一列に揃えずに、刃先側から見た並び方を、適度にずらしたりジグザグにしたり波打たせたり勾配をつけるような構成で、これを使用する時は、細断負荷が分散されたり、適度に紙が引っ張られるなどの効果がある。
【実施例６】
【００１２】  図１０に示すように、刃（１ｉ）と回転軸（２ｉ）よりなる個々のはさみの向きを同じにするのではなく、交互に表裏をわけて並べる構成で、これを使用すると、右利きと左利きとで、使う人によって刃（１ｉ）がわずかに歪み、切れ味が変わるのを防ぐ効果がある。刃（１ｉ）を、刃先側から見た並び方を一列に揃えずに、適度に交互にずらす構成にすると、細断くずが少しモーメント力を受けるため、懸念される目詰まりは防げる。
【実施例７】
【００１３】  図１１に示すように、薄い刃（１）を使用するのではなく、両側のエッジで紙が切れるようになっている厚い刃（１ｊ）を隙間無く交互に並べた構成で、これを使用すると、厚めの紙や複数枚の紙などの細断もしやすくなる効果がある。また刃先側から見た刃（１ｊ）のエッジの出っ張り具合を、両エッジで適度にずらすと、細断負荷が分散されたり、適度に紙が引っ張られたり、細断くずがモーメント力を受けて刃（１ｊ）の隙間で目詰まりを起しにくくなるなどの効果がある。更に刃（１ｊ）の研磨面に、平面以外の変化をつけることで紙の貼りつきなどが無くなり目詰まりが起こりにくくなる効果がある。
【実施例８】
【００１４】  図１２に示すように、刃側から見た厚い刃（１ｋ）のエッジの形状を、直線状ではなく、ジグザグ状やノコギリ状、矩形状、ウェーブ状などに形を変えたような構成にし、これを使用すると、細断くずのセキュリティー効果が高まる効果がある。この場合、刃（１ｋ）の細断方向の厚みをエッジ部分のみ少し薄くして、細断時に完全に交差し切るような構成にすると、紙を切り抜き落とせて目詰まりを起さない。
【実施例９】
【００１５】  図１３に示すように、一対の刃体のうち一方を、金属の刃（１ｍ）を使うのではなく、片側の薄い刃（１ｍ）が挿入できるような溝のある、エッジの効いた硬いプラスチック製などの当て物（１３ｍ）を使用する構成で、これを使用すると、当て物（１３ｍ）の分、材料コストが安くなり、また、安全性が増す効果がある。薄い刃（１ｍ）を用いる程、紙を溝に巻き込むことが少ない。刃（１ｍ）は、両エッジで切れるような構造にすると切れ味も良く細断しやすい効果がある。
【実施例１０】
【００１６】  図１４に示すように、刃（１ｎ）と回転軸（２ｎ）よりなる複数のはさみが、一つの回転軸（２ｎ）で連結されずに個々で独立しており、それらのはさみの柄の部分を、支え軸（１２ｎ）で支えるような構成で、これを使用する時は、個々に従来の技術で完成されたはさみをそのまま使用できるため、製造コストと技術的完成度の点で効果的な場合がある。はさみは支え板などを使用して刃（１ｎ）をカバー（４ｎ）に固定する構成でも良い。
【実施例１１】
【００１７】  図１５に示すように、レバー溝（７ｐ）を中央でなく右端や左端に設ける構成で、これを使用する時は、紙を投入した後、利き手を少し戻してからレバー（５ｐ）を押して細断するために、手に力が入りやすくて細断しやすい効果がある。レバー溝（７ｐ）は投入口（６ｐ）とつながっていると投入口（６ｐ）にゆとりが出る効果があるが、つながっていなくてもカバー（４ｐ）の強度が増す効果もある。また、レバー溝（７ｐ）を設けなくても、その代わりに回転軸（２ｐ）を延長して、カバー（４ｐ）の外部側面に突き出させ、そこにハンドル状のレバー（５ｐ）を連結し刃（１ｐ）を回動させても良い。
【実施例１２】
【００１８】  図１６に示すように、固定具（９ｑ）には、吸盤やマグネット、両面テープや金具やネジなどを使用する構成で、これを使用する時は、設置場所に合わせて選択する。固定具（９ｑ）が無い場合には片手でカバー（４ｑ）を押さえた状態でレバー（５ｑ）を押して使用する。
【実施例１３】
【００１９】  図１７に示すように、刃（１ｒ）に直接レバー（５ｒ）を連結するのではなく、刃体の端で連結されたギア（１４ｒ）を介して、レバー（５ｒ）と刃（１ｒ）を連結するような構成で、これを使用する時は、レバー（５ｒ）を回動させると、ギア（１４ｒ）が回り、手前の刃（１ｒ）が閉じて紙が細断される。レバー（５ｒ）の回動範囲が大きすぎて面倒くさくならない範囲ならば、細断負荷をテコの原理で軽減できる効果があり、厚めの紙を細断する場合や、シュレッダ本体を薄くスリム化したい場合などには有効である。
【実施例１４】
【００２０】  図１８に示すように、一対の刃体のうち一方が、図１のような薄い刃（１）を縦に並べた縦スジ状ではなく、刃先の向きはそのままに格子状の網目のような２次元パターンを持つ刃体で、もう一方が、そうした刃（１ｓ）が噛み合う溝を持つ当て物（１３ｍ）に似たエッジ刃（１ｓ）を持つような構成で、これを使用する時は、紙を投入してレバー（５ｓ）を押すと、格子状に紙が打ち抜かれて、刃（１ｓ）の裏から正方形の細断くずが落ちる。構造的には、実施例９（図１３）の刃体に縦方向にも２次元パターンを持たせたようなものである。このような２次元状のパターンを持たせることにより、細断くずのセキュリティー性が向上する効果がある。細断負荷が大きい場合には、実施例１３（図１７）に示したようなギア機構を使用したり、打ち抜く側の刃（１ｓ）の出っ張り具合や研磨面を揃えずに変化を付けさせたり斜めにするなどすると良い。２次元パターンは、他の多角形や、いろんな文字や絵の形を作ることもできるため、遊びや宣伝媒体として使用することもできる。
【図面の簡単な説明】
【００２１】
【図１】本発明の一部を切り欠いた斜視図である。
【図２】本発明の一部を切り欠いた側面図である。
【図３】本発明の一部を切り欠いて、真上から見た図である。
【図４】本発明の使用方法を示す、一部を切り欠いた側面図である。（ａ）は細断物を投入する様子。（ｂ）は細断時の様子。（ｃ）は細断せずに直接投棄する様子。
【図５】本発明の実施例１を示す、一部を切り欠いた斜視図である。
【図６】本発明の実施例２を示す斜視図である。
【図７】本発明の実施例３を示す、一部を切り欠いた側面図である。（ａ）はノコギリ状の刃を用いた様子。（ｂ）は反った刃を用いた様子。（ｃ）は内側に迫った刃を用いた様子。
【図８】本発明の実施例４を示す、一部を切り欠いた側面図である。（ａ）は一方の刃を支え板で支える場合。（ｂ）は一方の刃を別の支え軸で支える場合。
【図９】本発明の実施例５を示す、一部を切り欠いて真上から見た図である。
【図１０】本発明の実施例６を示す、一部を切り欠いて真上から見た図である。
【図１１】本発明の実施例７を示す、一部を切り欠いて真上から見た図である。
【図１２】本発明の実施例８を示す、一部を切り欠いて真上から見た図である。
【図１３】本発明の実施例９を示す、一部を切り欠いて真上から見た図である。
【図１４】本発明の実施例１０を示す、一部を切り欠いた図である。（ａ）は真上から見た図。（ｂ）は側面図。
【図１５】本発明の実施例１１を示す、一部を切り欠いた斜視図である。
【図１６】本発明の実施例１２を示す、一部を切り欠いた側面図である。
【図１７】本発明の実施例１３を示す、一部を切り欠いた側面図である。
【図１８】本発明の実施例１４を示す、一部を切り欠いた斜視図である。
【符号の説明】
【００２２】    １，１ａ，１ｃ，１ｄ，１ｅ，１ｆ，１ｇ，１ｈ，１ｉ，１ｊ，１ｋ，１ｍ，１ｎ，１ｐ，１ｑ，１ｒ，１ｓ    刃
２，２ａ，２ｃ，２ｄ，２ｅ，２ｆ，２ｇ，２ｈ，２ｉ，２ｊ，２ｋ，２ｍ，２ｎ，２ｐ，２ｑ，２ｒ，２ｓ    回転軸
３，３ｈ，３ｉ，３ｎ    スペーサ
４，４ａ，４ｂ，４ｃ，４ｄ，４ｅ，４ｆ，４ｇ，４ｈ，４ｉ，４ｊ，４ｋ，４ｍ，４ｎ，４ｐ，４ｑ，４ｒ，４ｓ    カバー
５，５ａ，５ｂ，５ｃ，５ｄ，５ｅ，５ｆ，５ｇ，５ｈ，５ｉ，５ｊ，５ｋ，５ｍ，５ｎ，５ｐ，５ｑ，５ｒ，５ｓ    レバー
６，６ａ，６ｂ，６ｃ，６ｄ，６ｅ，６ｆ，６ｇ，６ｈ，６ｉ，６ｊ，６ｋ，６ｍ，６ｎ，６ｐ，６ｑ，６ｒ，６ｓ    投入口
７，７ａ，７ｂ，７ｈ，７ｉ，７ｊ，７ｋ，７ｍ，７ｎ，７ｐ，７ｓ    レバー溝
８，８ａ，８ｂ，８ｃ，８ｄ，８ｅ，８ｆ，８ｇ，８ｈ，８ｉ，８ｊ，８ｋ，８ｍ，８ｎ，８ｐ，８ｑ，８ｒ，８ｓ    くず入れ
９，９ｃ，９ｄ，９ｅ，９ｆ，９ｇ，９ｈ，９ｉ，９ｊ，９ｋ，９ｍ，９ｎ，９ｑ，９ｒ    固定具
１０ａ    バネ
１１ｆ    支え板
１２ｇ，１２ｎ    支え軸
１３ｍ    当て物
１４ｒ    ギア
【図１】
2007111851.tif 000003
【図２】
2007111851.tif 000004
【図３】
2007111851.tif 000005
【図４】
2007111851.tif 000006
【図５】
2007111851.tif 000007
【図６】
2007111851.tif 000008
【図７】
2007111851.tif 000009
【図８】
2007111851.tif 000010
【図９】
2007111851.tif 000011
【図１０】
2007111851.tif 000012
【図１１】
2007111851.tif 000013
【図１２】
2007111851.tif 000014
【図１３】
2007111851.tif 000015
【図１４】
2007111851.tif 000016
【図１５】
2007111851.tif 000017
【図１６】
2007111851.tif 000018
【図１７】
2007111851.tif 000019
【図１８】
2007111851.tif 000020